(57)【要約】  【課題】熱収縮率の異なる基材を、間隔をあけた貼り合わせ個所で貼り合わせた積層体を熱収縮率が大きな方を内側として薄肉容器の胴部の外壁面に１箇所の固着部で固着してなる容器において、比較的低目の熱湯から沸騰水等の幅広い温度域の飲料を容器内に注いだとしても、部分的な積層体の異常な変化を抑止しようとする。【解決手段】熱収縮率の異なる基材を、間隔をあけた貼り合わせ個所で貼り合わせた積層体を熱収縮率が大きな方を内側として薄肉容器の胴部の外壁面に１箇所の固着部で固着してなる容器において、外壁面と積層体とを、その固着部と積層体の端縁部との間に熱軟化性接着剤による仮接着部を適宜配置して貼着し、その貼り合わせ個所間で内側の基材が全体に亘って均一に収縮して外側の基材がトンネル状構造体に整然と形成される断熱発現容器である。【選択図】  図１
2009157372.tif 000002
【特許請求の範囲】
【請求項１】
熱収縮率の異なる基材を、縞状に間隔をあけた複数の細長の貼り合わせ個所で貼り合わせてなる積層体を、熱収縮率が大きな基材を内側として薄肉容器の胴部の外壁面の１箇所の固着部で固着してなる容器であり、内側の基材が熱収縮する温度では軟化状態にある熱軟化性接着剤を介して前記外壁面と前記積層体とが仮接着された仮接着部を、前記固着部と前記積層体の端縁部との間に亘って複数個配置し、前記外壁面の昇温時に内側の基材が熱収縮するようになした、断熱発現容器。
【請求項２】
前記仮接着部が前記貼り合わせ個所の長手方向に亘って複数個配置された請求項１に記載の断熱発現容器。
【請求項３】
前記容器の下方から上方に向かうにつれて個々の前記仮接着部の接着面積が減じるようになした請求項１又は２に記載の断熱発現容器。
【請求項４】
前記貼り合わせ個所の長手方向が前記容器の上下方向と斜向した請求項１または２に記載の断熱発現容器。
【発明の詳細な説明】
【技術分野】
【０００１】
本発明は、熱い食品の容器として用いられ、コーヒー、茶、甘酒、ぜんざい、酒、クラムチャウダー、スープ等の熱い食品を注いだ時に、薄肉容器の胴部の外壁面に固着された積層体が、トンネル状の構造体に変化して断熱性を発現する断熱発現容器の改良に関する。
【背景技術】
【０００２】
この種の断熱発現容器としては、例えば、本願出願人による特許文献１、特許文献２に開示されたものが知られている。特許文献１の断熱発現容器１００は、図１０に示すように、円筒状あるいはコップ状の薄肉容器３０と、薄肉容器３０の胴部の外壁面３に固着された積層体Ａとから成る。積層体Ａは、熱収縮率の互いに異なる基材で、熱収縮率の小さい基材を台紙６とし、熱収縮率の大きい基材に熱収縮性フィルム４を使い、その基材同士を縞状に間隔をあけた複数の細長の貼り合わせ個所で貼り合わせてなり、熱収縮率が大きな熱収縮性フィルム４を内側として、間隔をあけた貼り合わせ個所間で熱収縮性フィルム４が収縮するように、薄肉容器３０の胴部の外壁面３に１箇所の固着部８０で容器の母線方向に沿って固着され、かつ外壁面３に積層体Ａの薄肉容器３０の周方向に渡って沿着されている。  【０００３】
この容器に熱い飲料を注ぐと、その伝導熱で、容器壁面を介して積層体Ａ内側の熱収縮性フィルム４が熱収縮性フィルム４の貼り合わせ個所７、８、９間で収縮し、その結果、積層体外側の台紙６がトンネル状構造体に変化し断熱機能が発現する。特許文献１の断熱発現容器１００は、このトンネル状構造体の山の部分を把持するようにした断熱容器である。ところが、この断熱発現容器１００においては、特許文献１の［００１３］に開示されているように、積層体Ａに１箇所の固着部８０のみを設けて熱風を適宜加えておくか、積層体Ａの両端縁近傍にもピンポイントで仮固着する部分を設けて、外壁面３に密着状態を保持して、積層体Ａが容器の外周壁に固定される構造であるため、次のような欠点がある。  【０００４】
すなわち、積層体Ａに１箇所の固着部８０のみか、積層体Ａの両端縁近傍にもピンポイントで仮固着する部分を設けた薄肉容器３０に熱湯を注入すると、薄肉容器３０の胴部の内壁を介して薄肉容器３０の胴部の外壁面３に熱が伝わる。ところがこの外壁面３の全面にいっきに熱が伝わるわけではなく、容器内に注入された湯量の水位に応じて、容器下方（底部）から上方（開口部）へ順次熱伝導してゆく。このように積層体Ａに伝わる熱も、湯量に対応して同様の過程を経る。その結果、積層体内側の熱収縮性フィルム４の収縮は熱の伝導に伴って、間隔をあけた貼り合わせ個所ごとに、下方から上方へ順次熱収縮を始めるが、積層体Ａの熱収縮性フィルム４の上方と下方では熱伝導に時間差があり、積層体Ａの上部と下部では熱収縮性フィルム４の収縮のタイミングにタイムラグが生じることから、早く熱を受けて熱収縮したフィルム部分とまだ熱収縮していないフィルム部分が瞬間的に共存する。すると、先に部分的に熱収縮性フィルム４が収縮して、それに連なった積層体Ａの台紙の下方だけがトンネル状になり、未収縮の熱収縮性フィルム４に連なった積層体Ａの上方の部分を外周壁面から持ち上げてしまう。  【０００５】
その一連の動作から、積層体Ａの一部分に容器外周壁から部分的に離反した洞穴状の部分ができる。つまり、積層体Ａの両端縁近傍へピンポイントで熱軟化性接着剤で仮固着する構成だけでは、熱を受けてそのピンポイントの仮固着が外れると、下方からのみ絞り上げるような状態になる。そうすると、壁面から離反して距離を置いた積層体Ａの部分は外周壁面からの熱伝導が遮断され、その離反した部分の熱収縮性フィルム４は収縮が進行せず、図２（ａ）に図示したように、積層体Ａの台紙６に正常なトンネル状構造体が形成されないという不都合が生じ、本来の断熱機能が果たせなくなる問題があった。また外見上の見栄えも悪かった。  【０００６】
もっとも、注入する湯温の温度条件や注入スピードを変えテストを試行錯誤した結果、特許文献１に開示された内容であっても、７５℃近辺の湯温の湯をゆっくりと注ぐのであれば、湯温が比較的低いことから熱収縮性フィルム４が急激に収縮しないため、積層体Ａが部分的に多少洞穴状になりそうになりながらも、外壁面との距離が大きく離れずにすみ、熱の供給が完全に遮断されるのを免れて、かろうじて正常にトンネル状構造体が形成される場合もあった。  【０００７】
ところが、９０℃の比較的高温の湯とか沸騰直後の湯を素早く注入すると、容器内で湯が暴れ、図２（ａ）に示すように、積層体Ａの台紙にゆがみが顕著に生じた。このことから、湯温の違い、お湯の注入スピード、容器内の内容物の量と比熱の違い等によっては、積層体Ａの熱収縮性フィルム４への熱の伝わり方に偏りとムラが生じて大きな洞穴状部分が生じ、熱の供給が遮断され、熱収縮性フィルム４が均一に収縮しないことが判明した。  【０００８】
ところで、社会生活上、断熱を必要とするホットな食品は様々で、多様な使われ方がする。例えば、容器内に注がれる湯温、注入スピードの違い、容器内の内容物の量の違い、内容物が粉末かレトルト食品なのかの比熱の違いもある。このように、使用する人の好みや用途は複雑多岐に亘っている。このことは、前述したように従来の技術ではその使用状態の如何によっては、薄肉容器の胴部壁面を介して積層体の内側の熱収縮性フィルム４に達する熱の温度の高低、熱伝導の伝わり方、伝わる時間にムラがあり、一定でなく、日常的にランダムに起こりうることを示唆し、不正常にトンネル状構造体を形成することを排除できないことを考慮しておかなければならない。  【０００９】
この不都合な現象を回避するためには、熱伝導の時間差による積層体内側基材の収縮ムラを抑えて、できるだけ、積層体全体に熱が隈なくゆき亘ってから、積層体全体を容器円周方向へ均等にたぐり寄せるようにコントロールして、均一に積層体内側基材が収縮することができれば、積層体外側基材が正常なトンネル状構造体に形成される筈である。  【００１０】
一方、特許文献２に開示された断熱発現容器の場合は、薄肉容器の胴部の外壁面に積層体を固着してあるが、本積層体は、熱収縮率の異なる基材が間隔を介した複数の貼り合わせ個所で接着されるとともに、その複数の貼り合わせ個所のうち、少なくとも１箇所の貼り合わせ個所に、略Ｉ字状の切目線が設けられ、積層体に於ける熱収縮率の大きい基材を内側として、該内側の基材が熱収縮するように、外壁面に取り付けてある。  【００１１】
この特許文献２に係わる断熱容器では、高温の湯が注がれる等して、薄肉容器の外面を通じて積層体に熱が伝わると、特許文献１に開示された断熱発現容器と同様にトンネル状構造体が発現するが、積層体の貼り合わせ個所に設けた略Ｉ字状切目線によって区切られた積層体の部分が、観音開きのように開かれながら、トンネル状構造体が発現するとともに、両開きされた窓から、薄肉容器の外面が外観上に現れるので、美観的要素が高く、変化がより楽しめる訴求性の高い断熱容器であるというものである。  【００１２】
本容器の場合、中央部に略Ｉ字状切目線を設けた矩形状の積層体が、薄肉容器の胴部の外壁面に、中央の略Ｉ字状切目線を左右に跨いで２箇所の固着部で薄肉容器の母線に沿って、耐熱接着剤によって積層体の上下方向ほぼ全幅に亘って帯状に固着されている。結果的に積層体が、その中央部から左右に距離を置いた２箇所の位置で固着されているため、積層体が外壁面に密着状態で維持される面積が大きいことと、収縮すべき積層体の面のひろがりに対して適度の位置に複数個所あることから、容器壁面から熱の供給を安定して受けられ、例え沸騰水を注入しても、前記特許文献１記載の容器のように、積層体に極端に異常なトンネル状構造体が発現することはない。  【００１３】
しかし、この構成は両開きされた「窓」等を有し構造が複雑で、また、積層体全体に亘って均一なトンネル状構造体となるわけではないので、デザイン的には嗜好性の偏りや一過性の傾向をもつおそれがある。さらにその構造ゆえに、「窓」の部分の高温の外壁が比較的指で触れやすいという問題もある。    
【特許文献１】特開平７-４０９６１号公報
【特許文献２】特開２００１−２４０１５２号公報
【発明の開示】
【発明が解決しようとする課題】
【００１４】
従って、本発明の目的は、薄肉容器の胴部の外壁面に積層体が一箇所のみの固着部で固着された状態で、容器内に熱いレギュラーコーヒーやインスタントコーヒー、お茶やティーバッグの紅茶、甘酒、ぜんざい、お酒、レトルトの味噌汁やクラムチャウダー、粉末状のスープ等の熱い食品を食する時に、容器内に注入する湯温の違い、注入スピードの違い、容器内の内容物の量の違い、内容物の比熱の違い等があっても、部分的な積層体の異常な変化を抑止し、正常なトンネル状構造体に変化するための必要条件を維持し付加することで、断熱機能が必要なときに、広範な使用状況に対応し、正常でシンプルなトンネル状構造体を安定して確実に発現させるコストの安い断熱発現容器を提供することである。
【課題を解決するための手段】
【００１５】
本発明は、上記課題を有効に解決するために創案されたものであって、以下の特徴を備えた断熱発現容器を提供する。本発明の断熱発現容器は、熱収縮率の異なる基材を、縞状に間隔をあけた複数の細長の貼り合わせ個所で貼り合わせてなる積層体を、熱収縮率が大きな基材を内側として薄肉容器の胴部の外壁面の１箇所の固着部で固着してなる容器であり、内側の基材が熱収縮する温度では軟化状態にある熱軟化性接着剤を介して前記外壁面と前記積層体とが仮接着された仮接着部を、前記固着部と前記積層体の端縁部との間に亘って複数個配置し、前記外壁面の昇温時に内側の基材が熱収縮するようになした、断熱発現容器である。  【００１６】
また、前記仮接着部が前記貼り合わせ個所の長手方向に亘って連続的に又は断続的に１個以上配置された前記断熱発現容器である。  【００１７】
また、前記容器の下方から上方に向かうにつれて個々の前記仮接着部の接着面積が減じるようになした前記断熱発現容器である。すなわち、前記容器において、前記仮接着部が前記積層体の上下に亘って複数個配置され、又は前記貼り合わせ個所の長手方向に亘って連続的に又は断続的に１個以上配置され、下方（底部）から上方（開口部）に向かうに従って個々の前記仮接着部当たりの接着力が徐々に減じるように、個々の仮接着部当たりの接着面積が調整されてなる前記断熱発現容器である。  【００１８】
さらに、前記貼り合わせ個所の長手方向が前記容器の上下方向と斜向した前記断熱発現容器である。
【発明の効果】
【００１９】
上記構成を有する本発明の断熱発現容器においては、該容器内に高温の湯が注がれる等して高温の熱が容器の薄肉容器の胴部の外壁面に伝わると、その貼り合わせ個所間で該内側の基材が全体に亘って均一に収縮して、該外側の基材がトンネル状構造体に整然と形成される。  【００２０】
前記仮接着部が適宜配置された構成にあっては、前記仮接着部が適宜配置された箇所は、積層体内側の基材が薄肉容器の
胴部の外壁面に密着状態であるだけでなく、熱軟化性接着剤が軟化するに要する時間が、積層体への熱伝導の時間差とそのムラを吸収して、該内側の基材の一部分だけが先に収縮して、積層体が壁面から離反するように変形しようとする力を一定時間抑止し、積層体全体に熱が隈なくゆきわたってから、積層体全体を容器周方向へ均等にたぐり寄せるようにコントロールして収縮が行われるため、正常なトンネル状構造体の発現・形成に効果がある。  【００２１】
また、前記仮接着部の位置を、縞状に間隔をあけた貼り合わせ個所で貼り合わせた個所に沿って適宜配置して貼着した断熱発現容器にあっては、積層体の外側の基材が山と谷のトンネル状構造体に形成されるとき、縞の線が谷の部分に相当する位置であるため、トンネル状構造体に盛り上がる力が力学的に最適の位置であり、きれいに無理なくトンネル状に形成できるので都合が良い。  【００２２】
また、前記仮接着部を、積層体の下方から上方に向かうに従って接着力の強度が徐々に減じるように、その接着剤の塗布パターンをグラデーション状に配置して貼着する構成とした断熱発現容器は、早く熱を受けた部位には接着面積が多いため軟化するのに時間がかかり、遅れて熱を受けた部位は接着面積が少ないため軟化するのに少ない時間で済むという物理現象を活用したものである。これにより、仮接着の解除のタイムラグが防止され、正常なトンネル状構造体の発現・形成に効果がある。  【００２３】
従って、この構成の断熱発現容器の場合、積層体の内側の基材の収縮が、容器内の上下方向の加熱のされかたのタイムラグに応じて仮接着部の接着力のグラデーションによって調節され、また、薄肉容器の胴部の外壁面への密着状態も確保されるため、容器内に注入される湯量の水位に応じて、加熱のされかたの時間差とムラによる積層体の微妙な変化を吸収し、比較的低温の湯から沸騰水まで広範な温度域に対応して、積層体の内側の基材の収縮を最良のタイミングにコントロールすることが可能になるという利点がある。
【発明を実施するための最良の形態】
【００２４】
以下、この発明の実施の態様を図面を参照して説明する。図１（ａ）、（ｂ）に示すように、本発明の第一の態様においては、コップ形状の薄肉容器３０の胴部の外壁面３へ積層体Ｄが積層体内側中央部の１箇所の固着部８０で固着するとともに、薄肉容器３０の胴周方向の端縁部３２と固着部８０との間に、熱軟化性接着剤を介して仮接着部１をスポット状に適宜配置して貼着して断熱発現容器１０１が構成される。なお、薄肉容器３０の形状はコップ形状に限定されず例えば角錐台形状あるいは枡型形状であってもよい。  【００２５】
前記積層体Ｄは、図１（ｂ）、（ｃ）に示すように略矩形で２層の基材からなっており、一方の基材はたとえば横一軸延伸ポリエステルフィルムの熱収縮性フィルム４であり、厚みはたとえば３５μｍである。もう一方の基材はたとえば上質紙（目付け５０ｇ／ｍ２）の台紙６からなり、２枚の基材は縦方向に連続または断続の細長に塗布された耐熱性接着剤によって、間隔をあけた端縁の貼り合わせ個所７、中央の貼り合わせ個所８及び中間の貼り合わせ個所９で貼り合わされ一体となっている。すなわち、これらの貼り合わせ個所７、８、９は、全体として縞状をなしている。  【００２６】
熱収縮性フィルム４としてはこのほかに、架橋ポリエチレン収縮フィルム、ポリスチレン系収縮フィルム、塩ビ収縮フィルム、ポリプロピレン収縮フィルム、オレフィン系多層収縮フィルムなどが例示されるが、４５℃以上好ましくは５０〜８０℃で熱収縮するフィルムであればこれらに限定されない。また、熱収縮性フィルム４としては１軸延伸されたフィルムが好ましい。  【００２７】
積層体Ｄは熱収縮率の大きな基材、すなわち熱収縮性フィルム４が内側に、熱収縮率の小さい基材、すなわち台紙６が外側になるように薄肉容器３０に取り付けられる。積層体Ｄは耐熱接着剤により、薄肉容器３０の母線方向に沿って積層体Ｄを縦方向に横切る帯状の固着部８０で１箇所固着されている。図１に示す態様にあっては、貼り合わせ個所７、８、９の長手方向は薄肉容器３０の母線方向となるようにされている。尚、積層体Ｄは薄肉容器３０の母線方向に対して斜め方向に固着することもでき、図示に限定されない。  【００２８】
積層体Ｄは仮接着部１で薄肉容器３０の胴周方向の端縁部３２と固着部８０との間の外壁面３に、胴周方向及び上下方向に仮接着され外壁面３に沿って密着している。仮接着部１は、固着部８０と薄肉容器３０の胴周方向の端縁部３２との間にドット状に配置している。仮接着部１は図示するように千鳥状に配置するだけでなく、格子状でもよく、あるいはランダムに配置してもよい。仮接着部１に用いられる熱軟化性接着剤（以下単に接着剤とも称する）は熱収縮性フィルム４が収縮する温度では軟化状態にある接着剤である。熱収縮性フィルム４が収縮する温度とは、熱収縮性フィルム４が収縮する最低の温度以上の、熱収縮性フィルム４が収縮する温度である。  【００２９】
仮接着部１に用いられる熱軟化性接着剤としては、酢酸ビニル系共重合体、ポリスチレン、エチレン・酢酸ビニル共重合体、エチレン・アクリル酸共重合体、エチレン・アクリル酸エステル共重合体、アイオノマー、ポリメタアクリル酸エステルなどのアクリル樹脂、ウレタン系樹脂が挙げられる。  【００３０】
以上のように構成された本発明に係わる断熱発現容器１０１に沸騰水を注ぐと、容器下方から湯量が上昇する。それに伴い、その熱が外壁面３を介して積層体Ｄの内側基材（熱収縮性フィルム４）に伝わり、熱収縮性フィルム４が下方から順次、急激に収縮を始めようとするものの、積層体Ｄに適宜配置されたスポット状の仮接着部１にその収縮が阻まれる。そのうち、湯量が上昇して積層体全体に高温の熱が行き渡るのに合わせて、仮接着部１の熱軟化性接着剤の軟化が進む。今まで外壁面３に密着して、熱の供給を受けて収縮力を十分に蓄えた熱収縮性フイルム４がその熱軟化性接着剤を外壁面３から引き剥がしながら、徐々にＦ方向に均一に収縮し、その熱収縮フィルム４に連なった積層体Ｄの外側基材の台紙６を下方から上方へゆるやかに盛り上がらせ、積層体全体として図２（ｂ）に示すような整然としたトンネル状構造体８２を形作ってゆく。  【００３１】
一方、仮接着部１を設けない場合は、例えば図２（ａ）に示すように、容器１０１´に沸騰水を注ぐと、容器下方から湯量が上昇するに伴い、熱収縮性フィルム４の下方が急激に収縮を始め、積層体Ｄの下方のみでトンネル状構造体８２´が形成される。これにともなって積層体Ｄの上方が外壁面３から浮き上がってしまい、外壁面３の熱が積層体Ｄの浮き上がった部分Ｗに伝わらなくなる。その結果、湯が上方に達して上方の外壁面３が昇温しても、例えば、浮き上がった部分Ｗはトンネル状構造体を形成せずに不規則に収縮し、積層体Ｄは全体として乱れた形状となる。  【００３２】
図１に示す態様においては、仮接着部１の個々のスポット状の接着剤塗布面積を積層体Ｄの全面にわたりどの仮接着部１でも同じとしている。これにより、熱収縮性フィルム４の急激な変化が抑止され、積層体Ｄに洞穴状の収縮ムラが発生するのを防止する効果があり、外観的にも機能的にも全く問題ない。また、使用する熱収縮性フィルム４の熱収縮特性や台紙６の剛性等の物性によって、仮接着部１のスポット状接着剤の塗布間隔や形状を、適宜変更して調整してもよい。  【００３３】
本発明の第二の態様においては、図３（ａ）乃至（ｃ）に示すように、断熱発現容器１０２は、仮接着部１の位置を、積層体Ｄ´の基材を１の方向に間隔をあけて貼り合わせた貼り合わせ個所７、８、９で、個々の貼り合わせ個所の長手方向に沿って適宜配置したものである。このように仮接着部１の位置を貼り合わせ個所７、８、９のそれぞれに対応して配置すると、積層体Ｄ´の熱収縮性フィルム４が収縮したとき、台紙６が山と谷のトンネル状構造体に盛り上がって変化する際、仮接着部１が谷の部分に当り、谷の部分が外壁面３を掴まえるかのようにスライドするため、山を容易に膨出させる利点がある。  【００３４】
本発明の第三の態様においては、図４（ａ）に示すように、仮接着部１ａの塗布パターンを、積層体の下方から上方に向かうに従って接着力の強度が徐々に減じるように、その接着剤の塗布面積をグラデーション状にして適宜配置したものである。すなわち、個々の仮接着部１ａ当たりの接着面積が下方（容器底部）から上方（容器開口部）に向かうに従って減少するようにしたものである。このように仮接着部１ａの塗布状態をグラデーション状に適宜配置すると、容器に注入された湯量の時間差により、接着力が減少する方向に変化しているため、積層体Ｄに早く熱を受けた部位では、熱収縮性フィルム４の収縮を、より多くの接着面積の接着剤の接着力で遅らせ、遅く熱を受けた部位では、より少ない接着面積の接着剤の接着力で熱収縮性フィルム４が早く収縮するようにバランスをとって、積層体全体の収縮を均一にする効果がある。これにより、前述二つの態様の構成に比して、精度よくトンネル状構造体を形成することができる。また、図４（ｂ）に示すように両端縁近傍に施した仮固着部２が並存していてもよく、この場合も効果に変わりはない。仮固着部２は、加熱前の状態において、積層体Ｄと外壁面３とを両端縁近傍で固着しておくものであり、加熱前の状態において、積層体Ｄと外壁面３との安定な密着状態を得るために設けたものである。仮固着部２は熱収縮性フィルム４の収縮に抗して積層体Ｄと外壁面３とを固着しておくことのできない弱い固着力を有する仮の固着部である。【００３５】
図５（ａ），（ｂ）は、仮接着部のその他の接着剤塗布パターンの一態様を示す。図５（ａ）は縦方向に縞状に接着剤が塗布された仮接着部１ｂの態様であり、図５（ｂ）は縦方向に断続帯状の縞状に接着剤が塗布された仮接着部１ｃの態様である。いずれの実施態様においても、仮接着部１ｂ、１ｃの幅は一定でも、あるいは下方から上方に向かうにつれて仮接着部の接着面積が減じるように仮接着部１ｂ、１ｃの幅を狭めてもよい。  【００３６】
本発明においては、固着部８０を形成するための接着剤の塗布や、仮接着部１（仮接着部１ｂ、仮接着部１ｃ）、仮固着部２、への接着剤の事前の塗布は、積層体側でもよいし薄肉容器側でもよい。また、本実施例に使用した熱収縮性のポリエステルフィルムや上質紙は、一例であって、積層体が適度に湾曲して、トンネル状構造体が発現する限り、他の種類や厚さ、目付けのものでも構わない。さらに、積層体の形状は図示のものに限定されず、例えば円形、三角形、ひし形などであってもよい。あるいは特定のマークや投影像の輪郭の形状であってもよい。その他、詳細な説明を省略するが、上記各実施態様を適宜組み合わせて実施することも可能である。  【００３７】
また、本発明においては、薄肉容器３０の胴部の外壁面３には、積層体Ｄ（あるいはＤ´）と同様の構成の積層体（不図示）が、積層体Ｄ（あるいはＤ´）とその不図示の積層体とで薄肉容器３０の胴部を挟むような態様で設けられていることが好ましい。これにより、向かい合った２ケ所でトンネル状構造体が発現することとなり、この２ケ所のトンネル状構造体の山の部分を、手で胴部を挟むように持てば、たとえ沸騰した飲料であっても手に熱さを感ずることなく容易に、確実に、安定して把持することができ、安心して中身飲料を賞味できる。さらに、用途、目的によっては、２ケ所以上に必要に応じて積層体の数を増加してもよい。また積層体の上面視形状や、胴部の母線方向及び周方向の長さも必要に応じて任意に設定してよい。通常は積層体の胴部の母線方向の長さは指の幅の２〜２．５倍程度が好ましい。積層体の胴部の周方向の長さは３〜５ｃｍ程度が好ましい。  【００３８】
本発明の他のさらに態様においては、図６に示すように、固着部８０及び貼り合わせ個所７、８、９のそれぞれの長手方向が薄肉容器３０の上下方向（薄肉容器３０がコップ形である場合は母線方向）Ｒに対して斜向してもよい。この場合、貼り合わせ個所７、８、９の長手方向Ｐは
固着部８０の長手方向と平行であり、積層体ＤＤの上辺１１２の長手方向Ｇとも斜向している。積層体ＤＤは貼り合わせ箇所の長手方向に亘って例えば図１に示すような固着部８０と仮接着部１を適宜設けて薄肉容器に貼着されている。  【００３９】
図７に示すように、積層体ＤＤの構造は、図１に示す熱収縮性フィルム４と台紙６のような熱収縮性フィルムと台紙とが耐熱性接着剤を介して貼り合わされ一体となっているが、固着部８０及び貼り合わせ個所７、８、９のそれぞれの長手方向が積層体ＤＤの胴部の母線方向に対して斜向している。このような構造にすれば、薄肉容器３０の上下方向に対して積層体自体を斜め方向に回転させて固着する必要もなくなり、トンネル構造が形成されたときの仕上がりの外観も自然で好ましい状態になる。なお、図７における固着部８０と仮接着部１は積層体ＤＤが薄肉容器３０（図６）に取り付けられたときのそれぞれの位置を示す。  【００４０】
図８は積層体ＤＤを貼着した容器が断熱発現した状態の図である。この態様にあっては、薄肉容器３０を把持したときの安定感、安心感が付加されて好ましい。貼り合わせ個所７、８、９の長手方向Ｐの上下方向Ｒに対する傾斜角αは３〜４５度が好ましいが、６〜１０度であることが薄肉容器３０を把持したときの安定感、安心感が付加されるうえでさらに好ましい。  【００４１】
傾斜角αは−３〜−４５度であってもよい。すなわち、上下方向Ｒに対して右に斜向してもよく、左に斜向してもよい。また、２個の積層体が薄肉容器３０の胴部を挟むような態様で設けられている場合、それぞれの積層体の貼り合わせ個所の長手方向が上下方向Ｒに対して左に斜向してもよいし、右に斜向してもよい。また、一方の積層体の貼り合わせ個所の長手方向が左に斜向し、他方が右に斜向してもよい。  【００４２】
図９は積層体ＤＤを貼着した容器が断熱発現した状態の実体図（写真）である。
【産業上の利用可能性】
【００４３】
本発明の断熱発現容器は、実際の社会生活上では様々な環境下、使用状態で使用される。例えば、自動販売機での使用が挙げられる。また、家庭での使用では電気ポットや瞬間湯沸かし器での湯沸しで、やかんを使ったガスレンジや電熱器での湯沸しで、素早く注ぐ人やゆっくりと注ぐ人の両方に好適に適用できる。また、一旦沸騰した湯をポットに保温して外出先で時間が経過してから使用する人にも好適に適用できる。さらに、湯温の好みも同様で、人によっては１００℃にまで沸騰させてすぐ注ぐ人、８０℃や９０℃のお湯を好む人など様々であるがいずれにも好適に適用できる。またさらに、断熱発現容器に入れられる内容物についても同様で、粉末やペースト状のインスタントコーヒーやスープ、レトルト処理した具を使うスープなど多様な内容物に好適に適用できる。また、内容量についても比較的多いものから少なめのものまで量の多少に拘わらず好適に適用できる。このように、食品用の薄肉容器に注入する温水は湯温が一定でなく、また内容物も多様であり、広範な使用状態が想定されるが、本発明にかかる断熱発現容器は、このように複雑多岐に亘る使用状態・場面においても、広範に利用され社会生活に大きく役立つ容器である。
【図面の簡単な説明】
【００４４】
【図１】図１（ａ）は本発明の容器の態様の一例を示す全体斜視図、図１（ｂ）は積層体の基材内側から見た平面図、図１（ｃ）は積層体のＮ―Ｎ矢視の断面図。
【図２】図２（ａ）は積層体が不正常に断熱発現した全体斜視図、図２（ｂ）は積層体が正常に断熱発現した全体斜視図。
【図３】図３（ａ）は本発明の容器の態様の他の一例を示す全体平面図、図３（ｂ）は積層体の基材内側から見た平面図、図３（ｃ）は積層体のＬ―Ｌ矢視の断面図
【図４】図４（ａ）は本発明の容器の態様のさらに他の一例を示す積層体の基材内側から見た平面図、図４（ｂ）は仮接着部と端縁近傍の仮固着部が並存した平面図。
【図５】図５（ａ）、図５（ｂ）は仮接着部の塗布パターンのその他の態様を示す積層体の基材内側から見た平面図。
【図６】本発明の容器の態様の他の一例を示す全体斜視図。
【図７】積層体の構造のさらに他の一例を示す図。
【図８】図６の容器が断熱発現した全体斜視図。
【図９】図６の容器が断熱発現した実態図。
【図１０】図１０（ａ）は従来の容器の態様を示す全体斜視図、図１０（ｂ）は積層体の基材内側から見た平面図、図１０（ｃ）は積層体のＭ―Ｍ矢視の断面図。
【符号の説明】
【００４５】
１、１ａ、１ｂ、１ｃ：仮接着部２：仮固着部３：外壁面４：熱収縮性フィルム７、８、９：貼り合わせ個所６：台紙Ｗ：浮き上がった部分３０：薄肉容器３２：端縁部８０：固着部Ａ、Ｄ、Ｄ´、ＤＤ：積層体８２、８２´：トンネル状構造体１００、１０１、１０１´、１０２：断熱発現容器  
【図１】
2009157372.tif 000003
【図２】
2009157372.tif 000004
【図３】
2009157372.tif 000005
【図４】
2009157372.tif 000006
【図５】
2009157372.tif 000007
【図６】
2009157372.tif 000008
【図７】
2009157372.tif 000009
【図８】
2009157372.tif 000010
【図９】
2009157372.tif 000011
【図１０】
2009157372.tif 000012
【国際調査報告】
2009157372.tif 000013
2009157372.tif 000014
2009157372.tif 000015
2009157372.tif 000016